(57)【特許請求の範囲】
【請求項１】
導体上に耐火層、絶縁層、シース層を順次積層して構成される耐火電線において、前記耐火層が、裏打材上に集成マイカ層と、常温で粘着性を有する接着剤層とを順次積層してなる集成マイカテープを複数層に重ね巻きして構成されていることを特徴とする耐火電線。
【請求項２】
前記耐火層が、最も外側に巻回される集成マイカテープはその裏打材をシース層側に向け、他の集成マイカテープはその裏打材を導体側に向けて巻回して構成されることを特徴とする請求項１に記載の耐火電線。
【発明の詳細な説明】
【０００１】
【発明の属する技術分野】
本発明は、導体上に耐火層、絶縁層、シース層を順次積層して構成される耐火電線に関する。さらに詳しくは、耐火電線の耐火層の耐火性能の改善に関する。
【０００２】
【従来の技術】
近年、建築物においては、火災が発生した場合の緊急避難警報や室内放送等を行い得るように非常用電源が確保されるようになってきている。この非常用電源の確保等の目的で、導体上に、高温に耐えかつ絶縁性の優れた天然または合成マイカをバインダー樹脂で結着した集成マイカ層を裏打材上に設けてなる集成マイカテープを複数層巻回あるいは縦添えした耐火電線が使用されている。
この耐火電線は、例えば、図４に示すように、導体１上に集成マイカテープを複数層巻回して耐火層６を形成し、絶縁層７を被覆してなる絶縁心線Ａの周囲を介在８で充填し、更に押さえ巻きテープ９及びシース層１０を順次設けて構成される。
【０００３】
また、耐火電線は、消防庁告示第３号による耐火試験に合格することが要求されている。即ち、ＪＩＳ  Ａ  １３０４の火災温度曲線に準じて３０分加熱（到達温度８４０℃）した際に、６００Ｖの耐電圧及び０．４ＭΩ以上の絶縁抵抗を保持することが要求される。
しかしながら、実際の火災現場では酸素濃度が希薄であったり、局所的に高温に晒されたり、あるいはさらに長時間加熱される場合等があり、上記試験を満たすだけでは不十分な場合もある。そこで、最近では、例えばＪＩＳ  Ａ  １３０４の火災温度曲線に準じて１時間加熱する（到達温度９２５℃）という、より厳しい条件においても同様の絶縁性を保持できることが要求されるようになってきている。
【０００４】
【発明が解決しようとする課題】
本発明の目的は、上記の状況に鑑み、耐火電線における耐火層の耐火性を改善し、消防庁告示第３号による耐火試験の耐火認定基準に合格することは勿論のこと、より長時間にわたる火災等による火熱に晒された場合でも絶縁性を保持し得る耐火電線、より具体的にいえば、ＪＩＳ  Ａ  １３０４の火災温度曲線に準じて１時間の加熱（到達温度９２５℃）に耐えることができる耐火電線を提供することにある。
【０００５】
【課題を解決するための手段】
本発明者は、上記目的を達成すべく鋭意研究した結果、耐火電線の耐火層を形成するに当たり、集成マイカテープの巻装状態を緊密にすることが有効であることを見い出し、本発明を完成するに至った。
【０００６】
すなわち、本発明は、上記目的を達成するために、導体上に耐火層、絶縁層、シース層を順次積層して構成される耐火電線において、前記耐火層が、裏打材上に集成マイカ層と、常温で粘着性を有する接着剤層（以下、単に「接着剤層」という）とを順次積層してなる集成マイカテープを複数層に重ね巻きして構成されていることを特徴とする耐火電線を提供する。
集成マイカテープが接着剤層を有することにより、重ね巻きした際に集成マイカテープ同士が密着して燃焼時に耐火層を強固に保持するとともに、電線の曲げを抑えて湾曲部からの熱の侵入を防止して耐火性能をより高めることができる。
【０００７】
【発明の実施の形態】
以下、本発明に関して詳細に説明する。
本発明に係る耐火電線は、図１に示すように、導体１上に集成マイカテープを複数層巻回して耐火層６ａを形成し、絶縁層７を被覆してなる絶縁心線Ａの周囲を介在８で充填し、更に押さえ巻きテープ９及びシース層１０を順次設けて構成され、その構成自体は従来の耐火電線と同様である（図４参照）。
そして、その耐火層６ａを、図２に示すように、裏打材３上に集成マイカ層２と接着剤層４とを順次積層してなる集成マイカテープ５を複数層に巻回して形成することを特徴とする。
【０００８】
集成マイカテープ５を形成する集成マイカ層２は公知のものを使用でき、天然または合成マイカをシリコーン系樹脂等のバインダで結着したものを用いることができる。
裏打材３も、ポリエチレン、ポリプロピレン、ポリエステル、ナイロンなどのプラスチックのフィルムあるいはガラスクロス等の従来から知られている集成マイカテープ用裏打材を適宜選択して用いることができる。
接着剤層４を形成する接着剤は、集成マイカ層２及び重ね巻きした時の裏打材３との接着強度を考慮すると、軟質ポリエチレン系樹脂が好ましい。
【０００９】
集成マイカ層２の厚さは、必要に応じて適宜設定することができるが、一般に０．０９〜０．１５ｍｍが適当である。また、裏打材３及び接着剤層４の厚さも必要に応じて適宜設定することができるが、一般に、集成マイカテープ５全体の厚さが０．１０〜０．２０ｍｍ程度であることが適当である。
【００１０】
上記の如く形成される集成マイカテープ５の巻き方は、図３に示すように、最も外側に巻回される集成マイカテープ５はその裏打材３を外側（シース層側）に向け、他の集成マイカテープ５はその裏打材３を導体１側に向けて巻回することが好ましい。集成マイカテープ５の巻回数は、耐火層６ａ全体としての厚みを考慮して適宜設定することができるが、一般に２〜４回が適当である。また、巻回の際のラップ（重ね代）は、必要に応じて適宜設定することができるが、一般にテープ幅の１／２〜１／１０が適当である。
また、集成マイカテープ５は縦添えしてもよく、巻回と縦添えとを併用してもよい。
【００１１】
集成マイカテープ５が接着剤層４を有することにより、重ね巻きした際に集成マイカテープ５同士が密着して燃焼時に耐火層６ａを強固に保持する。また、電線の曲げを抑えるため、湾曲部からの熱の侵入を防止して耐火性能をより高めることができる。
【００１２】
耐火電線を構成するその他の部材は、何れも公知のもので構わない。
絶縁層７は、例えばポリオレフィン系樹脂等の従来から用いられている絶縁材料を適宜選択して押出成形等により形成することができる。
介在８としては、例えば紙やジュート、ポリプロピレン解繊紙等の従来から用いられているものを適宜選択して用いることができる。
押さえ巻きテープ９も、従来から用いられているものを適宜選択して用いることがでる。
シース１０は、例えばノンハロゲン難燃性ポリオレフィン系樹脂、塩化ビニル樹脂等の従来からシースとして用いられているものを適宜選択して押出成形等により設けることができる。
【００１３】
【実施例】
以下，本発明を実施例及び比較例により更に具体的に説明するが、本発明は以下の実施例に限定されるものではない。
【００１４】
（実施例１〜３、比較例１〜３）
ポリエチレンフィルムの裏打材上に、軟質天然マイカにシリコーン樹脂を含浸されて得た集成マイカ層を形成して集成マイカテープＡを作製した。
また、集成マイカテープＡの集成マイカ層上に、軟質ポリエチレン系樹脂からなる接着剤層を設けて集成マイカテープＢを作製した。
そして、集成マイカテープＡ，Ｂを用いて、導体上に、最も外側に巻回される集成マイカテープはその裏打材をシース層側に向け、他の集成マイカテープはその接着剤層を導体側に向けて巻回して耐火層を形成し、その上にポリエチレンを押出成形して絶縁心線を作製した。その際、表１に示す如く巻回数及び重ね代を変えて耐火層を形成した。次いで、絶縁心線の周囲にジュートを充填し、押さえ巻きテープを巻回した後、ノンハロゲン難燃性ポリオレフィンを押出成形して耐火電線を作製した。
【００１５】
作成した耐火電線について、消防庁告示第３号の耐火試験、即ちＪＩＳ  Ａ  １３０４の火災温度曲線に準じて３０分加熱する（到達温度８４０℃）耐火試験とともに、ＪＩＳ  Ａ  １３０４の火災温度曲線に準じて１時間加熱する（到達温度９２５℃）耐火試験を行なった。
その結果を表１に併記した。表１の耐火性能において、○印は各耐火認定基準に合格したことを示し、×印はそれに合格しなかったことを示す。
【００１６】
【表１】
0003907146.tif 000002
【００１７】
表１より、集成マイカテープＡ，Ｂを用いた耐火電線は共に３０分加熱耐火試験を合格しているが、６０分加熱では接着剤層の無い集成マイカテープＡを用いた耐火電線では不合格となっているのに対し、本発明の接着剤層を有する集成マイカテープＢを用いた耐火電線はこの６０分加熱耐火試験の認定基準を満足しており、耐火性能に優れることが判る。
【００１８】
【発明の効果】
以上説明したように、本発明によれば、消防庁告示第３号による耐火試験の耐火認定基準に合格することは勿論のこと、より長時間火災等による火熱に晒された場合でも絶縁性を保持できる耐火電線が提供される。
【図面の簡単な説明】
【図１】本発明の耐火電線の形態の一例の断面を示す概略図である。
【図２】本発明の耐火電線に使用される集成マイカテープの拡大断面図である。
【図３】本発明の耐火電線に使用される集成マイカテープの巻回様式を示す断面図である。
【図４】従来の耐火電線の一例の断面を示す概略図である。
【符号の説明】
１    導体
２    集成マイカ層
３    裏打材層
４    接着層
５    集成マイカテープ
６，６ａ    耐火層
７    絶縁層
８    介在
９    押さえ巻きテープ
１０  シース
Ａ    絶縁心線
【図１】
0003907146.tif 000003
【図２】
0003907146.tif 000004
【図３】
0003907146.tif 000005
【図４】
0003907146.tif 000006